(57)【要約】【課題】目玉温度の測定と分析システム、受信分析装置及びその方法に関するものである。【解決手段】目玉表面に設けられる目玉温度測定装置と、受信分析装置とを有し、前記目玉温度測定装置は、目玉表面の温度によって電気信号が発生される温度感知ディバイスと、前記電気信号をワイヤレスの信号に変換する信号伝送ディバイスとを有し、前記受信分析装置は、前記ワイヤレスの信号を受信する信号受信ユニットと、前記ワイヤレスの信号に基づき目玉表面の温度を分析して正常か否かを判断する分析ユニットとを有することを特徴とする目玉温度の測定と分析システムを提供する。【選択図】図４
2015085199.tif 000002
【特許請求の範囲】
【請求項１】
目玉表面に設けられる目玉温度測定装置と、受信分析装置とを有し、
前記目玉温度測定装置は、目玉表面の温度によって電気信号が発生される温度感知ディバイスと、前記電気信号をワイヤレスの信号に変換する信号伝送ディバイスとを有し、
前記受信分析装置は、前記ワイヤレスの信号を受信する信号受信ユニットと、前記ワイヤレスの信号に基づき目玉表面の温度を分析して正常か否かを判断する分析ユニットとを有することを特徴とする
目玉温度の測定と分析システム。
【請求項２】
前記目玉温度測定装置は、更に外部へ前記ワイヤレスの信号を送信するアンテナを有し、
前記アンテナは、外部の電磁波によって電磁結合の電力を発生することにより、前記温度感知ディバイスと信号伝送ディバイスに電力を提供することを特徴とする
請求項１に記載の目玉温度の測定と分析システム。
【請求項３】
更に前記ワイヤレスの信号が伝送される外部アンテナを有することを特徴とする
請求項２に記載の目玉温度の測定と分析システム。
【請求項４】
前記分析ユニットは、前記目玉表面の温度値、二つの時間点における温度値差異又は複数連続の時間点の温度平均値又はその変化によって目玉の病気あるか否かを判断することを特徴とする
請求項１に記載の目玉温度の測定と分析システム。
【請求項５】
夜間と昼間における前記目玉表面温度の差異値は、下限値より低い場合、近視又は仮性近視がないと判断し、
前記差異値は、前記下限値と上限値との間に何れかの数値である場合、近視や仮性近視の可能性があると判断し、
前記差異値は、前記上限値より大きい場合、近視や仮性近視あるはずと判断することを特徴とする
請求項４に記載の目玉温度の測定と分析システム。
【請求項６】
二つの時間点で測定した目玉温度の差異値は、下限値より低い場合、眼球乾燥症があると判断することを特徴とする
請求項４に記載の目玉温度の測定と分析システム。
【請求項７】
前記二つの時間点で測定した目玉温度値は、目がウィンクして瞼を開けた後すぐに測定した目玉表面温度と、前記測定後の６秒〜１０秒の何れかの時間点で再び測定した目玉表面温度であり、前記の測定間に瞼が開けたままであり、
前記二つの時間点で測定した目玉温度の差異値は、０．２℃〜０．４℃である場合、眼球乾燥症のリスクがあると判断し、
前記二つの時間点で測定した目玉温度の差異値は、０．４℃より大きい場合、眼球乾燥症の可能性が低いと判断することを特徴とする
請求項６に記載の目玉温度の測定と分析システム。
【請求項８】
前記目玉温度測定装置は、温度測定効果を有するコンタクトレンズであり、
前記目玉温度測定装置は、目玉表面と瞼の内側に設けられることにより、目玉の温度を測定し、且つその寸法が、瞳に覆っていないことを特徴とする
請求項１に記載の目玉温度の測定と分析システム。
【請求項９】
目玉表面の温度データが含まれるワイヤレスの信号を受信するための信号受信ユニットと、前記ワイヤレスの信号に基づき目玉の正常か否かを分析して判断する分析ユニットとを有することを特徴とする
目玉温度の受信分析装置。
【請求項１０】
前記分析ユニットは、目玉表面の温度値、二つの時間点における温度値差異又は複数連続の時間点の温度平均値又はその変化によって目玉の病気あるか否かを判断することを特徴とする
請求項９に記載の目玉温度の受信分析装置。
【請求項１１】
夜間と昼間における前記目玉表面温度の差異値は、下限値より低い場合、近視又は仮性近視がないと判断し、
前記差異値は、前記下限値と上限値との間に何れかの数値である場合、近視や仮性近視の可能性があると判断し、
前記差異値は、前記上限値より大きい場合、近視や仮性近視あるはずと判断することを特徴とする
請求項１０に記載の目玉温度の受信分析装置。
【請求項１２】
二つの時間点で測定した前記目玉温度の差異値は、下限値より低い場合、眼球乾燥症があると判断することを特徴とする
請求項１０に記載の目玉温度の受信分析装置。
【請求項１３】
前記二つの時間点で測定した目玉温度値は、目がウィンクして瞼を開けた後すぐに測定した目玉表面温度と、前記測定後の６秒〜１０秒の何れかの時間点で再び測定した目玉表面温度であり、前記の測定間に瞼が開けたままであり、
前記二つの時間点で測定した目玉温度の差異値は、０．２℃〜０．４℃である場合、眼球乾燥症のリスクがあると判断し、
前記二つの時間点で測定した目玉温度の差異値は、０．４℃より大きい場合、眼球乾燥症の可能性が低いと判断することを特徴とする
請求項１２に記載の目玉温度の受信分析装置。
【請求項１４】
前記信号受信ユニットは、前記ワイヤレスの信号を受信して無線周波数信号を発生する移動式の問答ユニットと、前記無線周波数信号を受信して目玉表面の温度データに変換するデータ受信ユニットとを有することを特徴とする
請求項９に記載の目玉温度の受信分析装置。
【請求項１５】
目玉表面に設けられる目玉温度測定装置により目玉の表面温度を測定するステップと、
ワイヤレスの信号によって前記表面温度のデータが伝送されるステップと、
前記ワイヤレスの信号を受信するステップと、
前記ワイヤレスの信号に基づき目玉表面の温度を分析して正常か否かを判断するステップとを有することを特徴とする
目玉温度の測定と分析方法。
【請求項１６】
前記分析して判断するステップは、更に目玉表面の温度値、二つの時間点における温度値差異又は複数連続の時間点の温度平均値又はその変化によって目玉の病気あるか否かを判断することが含まれることを特徴とする
請求項１５に記載の目玉温度の測定と分析方法。
【請求項１７】
前記差異が下限値の以下である場合、目が病気あるはずこと又は病気がないはずことを判断し、
前記差異が前記下限値と上限値の間の何れかである場合、目が病気ある可能性があると判断し、
前記差異が上限値の以上である場合、目が病気あるはずこと又は病気がないはずことを判断することを特徴とする
請求項１６に記載の目玉温度の測定と分析方法。
【発明の詳細な説明】
【技術分野】
【０００１】
本発明は、目玉温度の測定と分析システム、受信分析装置及びその方法に関するものであり、特に目玉表面の温度を分析して判断するシステム、分析装置及びその方法に関するものである。
【背景技術】
【０００２】
目玉表面の温度は、目玉の各部における筋肉又は各層組織の状態に対応するため、目玉の健康さ又は病気さに反応する一つ重要な指標である。目玉に炎症や筋肉が緊張しすぎる（痙攣）時、目玉の温度が上昇していく。例えば、毛様体筋の痙攣による近視の目玉が、その表面の温度が上昇する。但し、眼球乾燥症の患者は、瞼の開合により目玉の表面に到着する涙の量が減少するため、目玉の表面温度が降下していく。従って、目玉の表面温度は、その上昇や降下が目の健康さや病気さの判断に用いられることができる。
【０００３】
Ｄ．Ｍ．  ＭａｕｒｉｃｅとＡ．Ｓ．  Ｍｕｓｈｉｎは、その論文「Production of Myopia in Rabbits by Raised Body-Temperature and Increased Intraocular Pressure」（The Lancet; November 26, 1966, pp. 1160-1162）に、若いウサギの体温が４１−４３℃に上昇してそのまま３０分間ほど維持すると、ウサギのジオプトリ（ｄｉｏｐｔｒｅｓ）は−０．７５以上になることが掲示される。近視の原因は、目の屈折能力が大きすぎるため、目玉軸に平行する平行光線が網膜の前に集まってしまうので、網膜に鮮明な映像が形成することができない。更に、目玉軸の変化も目玉の温度に繋がっている。毛様体筋の痙攣は、目玉軸の伸びに刺激することにより、回復できない真性近視になる可能性がある。この論文には、目玉の温度が近視や目玉の変化に関連性あることも証明する。目玉の温度が上昇すると、目玉が膨張していく。又、目玉周りの組織はこの膨張に対抗する力がより強いため、この膨張力は目玉の奥に伝えている。目玉は、この不当な変形で長時間に経つ結果、目玉軸がより長い目玉になってしまう。
【０００４】
又、Tien-Chun Changなどによる論文「Application of digital infrared thermal imaging in determining inflammatory state and follow-up effect of methylprednisolone pulse therapy in patients with Graves’ophthalmopathy」（Graefes Arch Clin Exp Ophthalmol; 2008, 246 vol., pp. 45-49）には、バセドウ病（Ｇｒａｖｅｓ’  ｄｉｓｅａｓｅ）に対して、コンピュータによる遠赤外線の熱映像によって一部の温度を測定することで、目玉の炎症に対する観察と記録することに有効である。又、ｈｙａｎｇ−Ｒｏｎｇ  Ｓｈｉｈなどによる論文「The application of temperature measurement of the eyes by digital infrared thermal imaging as a prognostic factor of methylprednisolone pulse therapy for Graves’ ophthalmopathy」（Acta Ophthalmologica; 2010 vol. 88, pp. 164-159）から分かるように、高投与量のステロイド療法で目玉の温度が降下していく、温度の降下程度は、治療前の目玉温度に関連性がある。これらの研究は、遠赤外線による熱映像の温度測定が高投与量のステロイドで甲状腺眼症を治療する効果の予測に寄与することに示す。
【０００５】
又、異なる用途の電子ディバイスは、微型化していくため、装着式または嵌入式の医療用（又は校正用）装置にこれらの電子ディバイスの応用も増えていく。例えば、米国特許ＵＳ２０１２／０２４５４４４には、バイオチップ付の装着式コンタクトレンズが掲示され、角膜前（涙）膜における特定の化学物質の濃度を測定することに用いられる。又、米国特許ＵＳ２０１０／０２３４７１７、ＵＳ２０１３／００４１２４５及びＰＣＴ国際出願ＷＯ０３／００１９９１には、電子式の圧力感知装置が結合されるコンタクトレンズが掲示され、目玉内の圧力の測定に用いられる。しかしながら、電子温度測定装置を結合するコンタクトレンズにより目玉表面の温度を測定することが掲示される特許文献や非特許文献は少なく、温度測定効能を有するコンタクトレンズによって目玉の健康さや病気さを判断する技術内容が掲示される先行文献も有しない。
【０００６】
上述のように、目の治療や視力校正の領域に目の健康さや病気さを判断できるシステムと方法が求められ、よって、予防医学や校正モニタ（監視）に幅広く使用されることができる。
【発明の概要】
【発明が解決しようとする課題】
【０００７】
本発明の目的は、目玉温度の測定と分析システム、受信分析装置及びその方法を提供することであり、目玉表面温度のデータを記録することにより、目の健康さや病気さを分析して判断することができるため、予防医学や校正モニタに使用されることができる。
【課題を解決するための手段】
【０００８】
上記の目的を達成するために、本発明は、目玉表面に設けられる目玉温度測定装置と、受信分析装置とを有し、前記目玉温度測定装置は、目玉表面の温度によって電気信号が発生される温度感知ディバイスと、前記電気信号をワイヤレスの信号に変換する信号伝送ディバイスとを有し、前記受信分析装置は、前記ワイヤレスの信号を受信する信号受信ユニットと、前記ワイヤレスの信号に基づき目玉表面の温度を分析して正常か否かを判断する分析ユニットとを有することを特徴とする目玉温度の測定と分析システムを提供する。
【０００９】
本発明は、更に、目玉表面の温度データが含まれるワイヤレスの信号を受信するための信号受信ユニットと、前記ワイヤレスの信号に基づき目玉表面の温度を分析して正常か否かを判断する分析ユニットとを有することを特徴とする目玉温度の受信分析装置を提供する。
【００１０】
本発明は、目玉表面に設けられる目玉温度測定装置により目玉の表面温度を測定するステップと、ワイヤレスの信号によって前記表面温度のデータが伝送されるステップと、前記ワイヤレスの信号を受信するステップと、前記ワイヤレスの信号に基づき目玉表面の温度を分析して正常か否かを判断するステップとを有することを特徴とする目玉温度の測定と分析方法を提供する。
【図面の簡単な説明】
【００１１】
【図１】表１に対する仮性近視群と正常視力群の目玉表面に対する昼間と夜間の温度差異を示す図面である。
【図２】本発明に係わる目玉温度測定装置を示す参考図である。
【図３】図２に示す目玉温度測定装置が目玉の表面に装着される状態を示す参考図である。
【図４】本発明に係わる目玉温度の測定と分析システムを示す参考図である。
【図５】本発明に係わる目玉温度の測定と分析システムの他の実施例を示す参考図である。
【図６】本発明に係わる目玉温度の測定と分析方法を示すフローチャートである。
【図７】本発明に係わる目玉温度測定装置の他の実施例を示す参考図である。
【図８】図７に示す目玉温度測定装置が目玉の表面に装着される状態を示す参考図である。
【発明を実施するための形態】
【００１２】
簡潔と明確な説明のために、添付図面に本発明の構成を示し、且つ従来技術と等しい特徴及び技術の説明を省略する。又、図面における寸法などが限定の目的で示すものではない。例えば、本発明を理解するために図面に示す一部の部分を他の部分に対して拡大することができる。異なる図面における同一の符号は、同一の部材に示す。
【００１３】
上述のように、目玉表面温度の上昇や降下は、目の健康さや病気さを判断することに用いられることができる。特に、毛様体筋の痙攣は、近視の原因となり、その表面の温度が上昇する。下記表１には、仮性近視群と正常視力群に対して目玉表面温度を測定したデータを示す。
【００１４】
【表１】
2015085199.tif 000003
【００１５】
医学文献にも、体の温度が上昇し（高熱）又は目玉表面温度が短距離である物（本やテレビやパソコンや携帯電話など）を注目すること（特に短距離と長時間にある目標物を注目する）により、毛様体筋が長時間に高い引張状態になり、この高引張状態に伴い、目玉の温度も上昇していく。昼間に毛様体筋を使い過ぎるが、夜で寝るときに毛様体筋が緩んでいくため、温度は降下していくはずである。一方、寝る時に瞼が閉めるため、外部への熱放散に邪魔とし、即ち目玉の温度が降下し難く又は降下できない状態になる。寝る同時に、体の姿勢が変わる（例えば横になる）ことに伴い、目玉が受けた圧力も変化し、目玉の硝子体周りの圧力がより向上していく。そして、高温と高圧が内部から目玉の奥に伝えていく。その結果、目玉が目玉軸の方向に沿って伸びってしまう。前記状況が長時間に経って発生されると、目玉軸方向の長さは、大きくなり、最後に、近視になってしまう。
【００１６】
表１に対する仮性近視群と正常視力群の目玉表面に対する昼間と夜間の温度差異を示す図面である。図１から分かるように、仮性近視群における目玉表面に対する昼間と夜間の温度差異がより大きく、即ち目玉表面の夜間温度が明らかに高い。一方、正常視力群における目玉表面に対する昼間と夜間の温度差異がより小さく、即ち目玉表面の夜間温度が僅かに高い。目玉表面の温度データを記録することにより、目の健康さや病気さを分析して判断することができるため、予防医学や校正モニタに使用されることができる。本発明が近視の判断に使用することに限られず、眼球乾燥症又は温度変化可能の他の眼病にも本発明の各実施例を適用することができる。又、温度変化の幅や方式に応じて各実施例の条件を変更することもできる。図１は、二つ群に対して昼間と夜間との目玉表面温度を測定する場合を示す。本発明は、同一の人に対して昼間と夜間との目玉表面温度の差異平均値を長時間に測定し、又は同一の人に対して毎日における同じ時間での目玉表面温度の最大変化値又は平均値を測定することができ、或いは特定の時間での目玉表面温度又は特定の時間帯で目玉表面温度の平均値と変化値を測定することができる。本発明は、前記実施例に限られず、長時間や短時間での目玉表面温度の差異値又は平均値との測定にも本発明を適用することができる。
【００１７】
前述のように、目玉表面温度の上昇や降下は、目の健康さや病気さを判断することに用いられることができる。特に眼球乾燥症の患者は、涙の不足で目玉表面温度が明らかに変化する。下記の表２には、眼球乾燥症がある患者群と眼球乾燥症がない患者群に対して目玉表面温度を測定するデータを示す。
【００１８】
【表２】
2015085199.tif 000004
Ｔｏ：目がウィンクして瞼を開けた後すぐに測定した目玉表面温度である。
Ｔｃ：Ｔｏの測定の第６秒後（又は６秒〜１０秒の何れかの時間点）、再び測定した目玉表面温度であり、ＴｏとＴｃの測定間に瞼が開けたままである。
Ｔｄ：Ｔｏ和Ｔｃの差異値である。
【００１９】
表２のデータから分かるように、眼球乾燥症がある患者群の差異値Ｔｄは、眼球乾燥症がない患者群の差異値Ｔｄより明らかに低い。よって、これを基づいて眼球乾燥症の発生根拠とする。また、以下のように判断できる。前記差異値Ｔｄが０．２℃より小さいと、眼球乾燥症があると判断できる。前記差異値Ｔｄが０．２℃〜０．４℃であると、眼球乾燥症のリスクがあると判断できる。又、前記差異値Ｔｄが０．４℃より大きいと、眼球乾燥症の可能性が低いと判断できる。本発明は、この実施例に限られていなく、の単一の数値を利用することで他の判断規則を決めることができ、或いは、温度値Ｔｏ又はＴｃの複数の数値から形成される曲線の変化（急増、急減、増加、減少）又は勾配変化によって判断規則を決めることができる。実際には、目の異なる症状に応じて判断規則の内容と決定方式を変化する。
【００２０】
図２は、本発明に係わる目玉温度測定装置を示す参考図である。この実施例における目玉温度測定装置は、温度測定効果を有するコンタクトレンズ２０で示されるが、本発明は、この実施例に限られず、目玉表面に装着して目玉温度を測定できる何れの装着装置であってもよい。前記コンタクトレンズ２０は、主に透明の基材２１、温度感知ディバイス（又は温度感知回路）２２、アンテナ２３と、信号伝送ディバイス２４とを有する。前記透明の基材２１の材料は、シリコンヒドロゲル（ｓｉｌｉｃｏｎｅ  ｈｙｄｒｏｇｅｌ、例えばＨＥＭＡ）で、高い酸素透過率と優れた親水性を有するメリットがあるので、使用者の快適性を向上すると共に、長時間に装着することができる。前記透明の基材２１の材料は、他の透明の高分子材料であってもよいが、この実施例に限らない。前記アンテナ２３は、外部へワイヤレスの信号を送信できると共に、外部からのエネルギーを受け取ることもでき、例えば、無線周波数信号又は他の電磁波にてアンテナ２３が電磁結合（ｉｎｄｕｃｔｉｖｅ  ｌｉｎｋ又はｉｎｄｕｃｔｉｖｅ  ｃｏｕｐｌｉｎｇ）を形成することにより、電力を発生して前記温度感知ディバイス２２と信号伝送ディバイス２４に供給する。また、無線周波数信号又は他の電磁波を発射する装置は、スカーフ内に又はポケット内に設置することができ、或いは他の携帯装置（例えば携帯電話やブルートゥースイアホンなど）に設置することができる。また、本実施例は、これに限られず、前記透明の基材２１の表面又は内部にマイクロマシン（ＭＥＭＳ）の電池が設けられてもよい。
【００２１】
コンタクトレンズ２０の面積に限られているため、前記アンテナ２３のコイル数や寸法も限られている。前記アンテナ２３の信号強度が不足となる問題を解決するために、目の周り（例えば眼窩）に他の外部アンテナを貼ることにより、より遠い場所に位置する信号受信装置でも信号を受信する可能となる。
【００２２】
昼間及び／又は就寝時の目玉温度変化を長時間に監視するために、前記透明の基材２１の表面にコンタクトレンズ２０の中心を共通中心として温度を感知できる複数の環状回線（即ち温度感知ディバイス２２）が設置され、前記環状回線は、複数の円形の環状回線、多辺形の環状回線又は不規則の環状回線であってもよい。前記温度感知ディバイス２２は、温度や反応温度の変化を測定することができ、特定用途向け集積回路（Ａｐｐｌｉｃａｔｉｏｎ−Ｓｐｅｃｉｆｉｃ  ＩＣ；ＡＳＩＣ）又はマイクロマシン（ＭＥＭＳ）であってもよく、或いはナノやピコ（ＰＩＣＯ）レベルの化学材料、金属材料又はバイオ材料からなる感知ディバイスであってもよい。又、前記信号伝送ディバイス２４は、温度感知ディバイス２２から発生した電気信号（例えば電圧信号や電流信号）を無線周波数信号（ＲＦ）に転換し、アンテナ２３を通じて外部へワイヤレスの信号を送信できる。しかし、本発明は、電気信号から無線周波数信号（ＲＦ）への転換に限られず、ブルートゥース（Ｂｌｕｅｔｏｏｔｈ（登録商標））又はＷｉＦｉなどの信号に転換することもできる。前述環状回線に類似するように、前記アンテナ２３は前記透明の基材２１の表面に設けられると共に、前記温度感知ディバイスの外側に位置する複数の環状回線であり、通信協定に該当するワイヤレスの信号を外部へ送信することができる。
【００２３】
図３は、図２に示す目玉温度測定装置が目玉の表面に装着される状態を示す参考図である。図３に示すように、使用者はコンタクトレンズ２０を目玉３０の表面に装着すると、前記環状回線を有する温度感知ディバイス２２とアンテナ２３が視覚の受光領域に設けられていないため、瞳に侵入する光線を遮断することがなく、昼まで活動時に装着するだけではなく、就寝時にも装着してリアルに温度を測定することができる。この温度測定効果を有するコンタクトレンズ２０は日常生活中又は仕事中に長時間に装着することができ、使用者は温度測定装置の設置場所、例えば赤外線温度測定装置前に限られないため、活動中、就寝中又は長時間に測定をすることができるので、判断結果の正確度を向上することができる。
【００２４】
図４は、本発明に係わる目玉温度の測定と分析システムを示す参考図である。システム４０は、コンタクトレンズ２０と、移動式の問答ユニット（ｍｏｂｉｌｅ  ｉｎｔｅｒｒｏｇａｔｉｏｎ  ｕｎｉｔ）４１と、データ受信ユニット４２と、コンピュータ４３とを有する。前記移動式の問答ユニット４１は、環状感知回路４１１によってワイヤレスの方式で前記信号伝送ディバイス２４と温度感知ディバイス２２に電力を提供すると共に、前記ワイヤレスの信号を変換して前記電気信号を取得し、さらに前記電気信号をアナログからデジタルに転換して前記電子信号のデジタルデータを取得し、ひいては前記デジタルデータから無線周波数信号を取得する。前記データ受信ユニット４２は、前記移動式の問答ユニット４１から無線受信で前記無線周波数信号を受信すると共に、前記無線周波数信号を変換して前記電子信号のデジタルデータを取得する。前記コンピュータ４２には、デジタルデータと目玉表面温度との対応テーブルが記憶され、且つ前記データ受信ユニット４２に電気接続することにより前記デジタルデータを取得し、前記テーブルに基づき目玉表面温度を取得すると共に、その温度を表示して記憶する。
【００２５】
前記コンピュータ４２は、目玉表面温度のデータを分析して記憶することができると共に、前記目玉表面温度が正常か否かを判断する。例えば、夜間と昼間の目玉表面温度の差異（表１を参照）に基づいて近視や仮性近視の発生を判断することができる。前記差異値が０．１℃より小さいと、近視の恐れがないと判断できる。前記差異値が０．１℃〜０．３℃であると、近視の可能性があると判断できる。前記差異値が０．３℃より大きいと、近視あるはずと判断できる。前記の判断結果は、コンピュータ４３のモニタに表示することができ、又はデータ受信ユニット４２における指示ランプの色によって表示することができる。例えば、緑色は近視の恐れがないことに示し、黄色は、近視の可能性があることに示し、赤色は、近視あるはずことに示す。本発明は、上述の実施例や判断規則に限られなく、実際の目玉表面温度や異なる症状に応じて決められることができる。
【００２６】
前記移動式の問答ユニット４１、データ受信ユニット４２及びデータの分析判断（本実施例においてコンピュータ４３により担当する）は、受信分析装置に整合されることができ、前記受信分析装置は、特定のソフトウェアや応用プログラムをインストールしたコンピュータ、タブレットＰＣ、スマートフォン又はスマート腕時計であってもよく、環状感知回路４１１を前記装置に結合してもよく、前記装置内に設置してもよい。
【００２７】
図５は、本発明に係わる目玉温度の測定と分析システムの他の実施例を示す参考図である。システム５０は、受信分析装置として携帯電話５１又は卓上型コンピュータ５２を使用し、前記受信分析装置は、少なくとも信号受信ユニットと分析ユニットを有し、前記信号受信ユニットは、コンタクトレンズ２０からのワイヤレスの信号を受信し、前記分析ユニットは、前記ワイヤレスの信号に基づき分析を行って前記目玉表面温度が正常か否かを判断する。
【００２８】
図６は、本発明に係わる目玉温度の測定と分析方法を示すフローチャートである。本発明は、温度測定効果を有するコンタクトレンズにより目玉の表面温度を測定するステップ６１と、ワイヤレスの信号によって前記表面温度のデータが伝送されるステップ６２と、前記ワイヤレスの信号を受信するステップ６３と、前記ワイヤレスの信号に基づき目玉表面の温度を分析して正常か否かを判断するステップ６４とを有する、目玉温度の測定と分析方法を提供する。
【００２９】
図３のコンタクトレンズ２０に対して、図７は、本発明に係わる目玉温度測定装置の他の実施例を示す参考図である。この実施例の目玉温度測定装置７０が目玉表面に設けられると、瞳に覆っていない。又、この実施例の装置は、前述の目玉温度の測定と分析システムに適用してもよく、即ち移動式の問答ユニット４１からの電力供給を受け取って、目玉表面温度のデータが含まれるワイヤレスの信号を伝送することができる。前記目玉温度測定装置７０は、主に基材７１と、温度感知ディバイス（又は温度感知回路）７２と、アンテナ７３と、信号伝送ディバイス７４とを有する。本実施例における基材７１の材料は、シリコンヒドロゲル（ｓｉｌｉｃｏｎｅ  ｈｙｄｒｏｇｅｌ）のポリエステル（ｐｏｌｙｅｓｔｅｒ）又はポリアクリルアミドであり、光線を透過、半透過又は不透過する材料でもよい。基材７１は、他の高分子材料から構成してもよく、軟質又は硬質の材料（例えば、ポリシロキサン、ポリメタクリル酸メチル樹脂、目玉の湾曲度に応じて整形する必要）でもよいが、この実施例に限られない。前記アンテナ７３は、外部へワイヤレスの信号を送信することができ、外部からのエネルギーを受け取ることもでき、例えば、無線周波数信号又は他の電磁波によってアンテナ７３が電磁結合（ｉｎｄｕｃｔｉｖｅ  ｌｉｎｋ又はｉｎｄｕｃｔｉｖｅ  ｃｏｕｐｌｉｎｇ）を発生することにより、前記温度感知ディバイス７２と信号伝送ディバイス７４に電力を提供する。又、前記基材７１の表面に微小型の電池が設けられることにより、前記温度感知ディバイス７２と信号伝送ディバイス７４に電力を提供することもできる。
【００３０】
目玉温度測定装置７０は、瞼内に設けられたので（図８を参照）、その面積が限られて、ひいては前記アンテナ７３のコイル数や寸歩も限られている。前記アンテナ７３の信号強度不足を補償するために、目の周り（例えば眼窩）に外部アンテナを貼ることができる。よって、信号を強くしてより遠い場所の信号受信装置でも受信可能となる。
【００３１】
昼間及び／又は就寝時の目玉温度変化を長時間に監視するために、前記基材７１の表面に温度を感知できる複数の環状回線（即ち温度感知ディバイス７２）が設置され、前記環状回線は、複数の円形の環状回線、多辺形の環状回線又は不規則の環状回線であってもよい。前記温度感知ディバイス７２は、温度や反応温度の変化を測定することができ、特定用途向け集積回路（Ａｐｐｌｉｃａｔｉｏｎ−Ｓｐｅｃｉｆｉｃ  ＩＣ；ＡＳＩＣ）又はマイクロマシン（ＭＥＭＳ）であってもよく、或いはナノやピコ（ＰＩＣＯ）レベルの化学材料、金属材料又はバイオ材料からなる感知ディバイスであってもよい。又、前記信号伝送ディバイス７４は、温度感知ディバイス７２から発生した電気信号（例えば電圧信号や電流信号）を無線周波数信号（ＲＦ）に転換し、アンテナ７３を通じて外部へワイヤレスの信号を送信できる。しかし、本発明は、電気信号から無線周波数信号（ＲＦ）への転換に限られず、ブルートゥース（Ｂｌｕｅｔｏｏｔｈ）又はＷｉＦｉなどの信号に転換することもできる。前述環状回線に類似するように、前記アンテナ７３は前記基材７１の表面に設けられると共に、前記温度感知ディバイス７２の外側に位置する複数の環状回線であり、通信協定に該当するワイヤレスの信号を外部へ送信することができる。
【００３２】
図８は、本発明に係わる目玉温度測定装置が目玉の表面に装着される状態を示す参考図である。図８に示すように、目玉温度測定装置７０を目玉３０表面と瞼（下瞼又は上瞼）の内側に設置すると、視覚の受光領域ではないため、基材７１は不透明の材料を選択でき、即ち瞳に進入する光線の遮断状況を考慮する必要がない。又、昼まで活動時に装着するだけではなく、就寝時にも装着してリアルに温度を測定することができる。基材７１の形状は、瞼の内側に簡単に設置するために、図示のようにハーフムーン型や長方形であることができる。
【符号の説明】
【００３３】
２０    コンタクトレンズ
２１    透明の基材
２２    温度感知ディバイス
２３    アンテナ
２４    信号伝送ディバイス
３０    目玉
４０    システム
４１    移動式の問答ユニット
４２    データ受信ユニット
４３    コンピュータ
４１１  環状感知回路
５０    システム
５１    携帯電話
５２    卓上型コンピュータ
６１〜６４    ステップ
７０    目玉温度測定装置
７１    基材
７２    温度感知ディバイス
７３    アンテナ
７４    信号伝送ディバイス
【図１】
2015085199.tif 000005
【図２】
2015085199.tif 000006
【図３】
2015085199.tif 000007
【図４】
2015085199.tif 000008
【図５】
2015085199.tif 000009
【図６】
2015085199.tif 000010
【図７】
2015085199.tif 000011
【図８】
2015085199.tif 000012